(57)【要約】【課題】各種電子機器に使用される開閉装置及びこれを用いた電子機器に関し、開閉操作感触を損なうことなく、所望の箇所のみの保持が確実なものを提供することを目的とする。【解決手段】可動カム２４先端に傾斜面２４Ａを形成すると共に、可動カム２４が弾接する固定カム２２の所定箇所に傾斜面２２Ｅや２２Ｆを設けることによって、ばね６の荷重を大きくすることなく所定箇所のみの荷重を大きくできるため、全体の開閉操作感触を損なうことなく、所望の箇所のみの保持を確実なものとした開閉装置及びこれを用いた電子機器を得ることができる。【選択図】  図１
2004245342.tif 000002
【特許請求の範囲】
【請求項１】
側面に固定カムが設けられた固定体と、この固定体に対し回転可能に配置されると共に、上記固定カムとの対向面に可動カムが設けられた可動体と、この可動体を付勢し上記可動カムを上記固定カムへ弾接させるばねからなり、上記可動カムに傾斜面を形成すると共に、上記固定カムの所定箇所に傾斜面を形成した開閉装置。
【請求項２】
可動カムに角度の異なる複数の傾斜面を形成すると共に、固定カムの所定箇所に角度の異なる複数の傾斜面を形成した請求項１記載の開閉装置。
【請求項３】
請求項１記載の開閉装置と、上面に操作部または音声入力部の少なくとも一方が形成された固定筐体と、表面に表示部または音声出力部の少なくとも一方が形成された可動筐体からなり、上記開閉装置の固定体及び可動体を、上記固定筐体及び可動筐体のいずれかに装着した電子機器。
【発明の詳細な説明】
【０００１】
【発明の属する技術分野】
本発明は、携帯電話や小型パーソナルコンピュータ等の、各種電子機器に使用される開閉装置及びこれを用いた電子機器に関するものである。
【０００２】
【従来の技術】
近年、携帯電話やパーソナルコンピュータ等の各種電子機器の高機能化や多様化が進む中、機器の固定筐体に対し可動筐体が開閉可能に装着された、所謂、折畳み式のものが増えており、これらに用いられる開閉装置においても、良好な感触の開閉操作や開閉位置の確実な保持等を行えるものが求められている。
【０００３】
このような従来の開閉装置及びこれを用いた電子機器について、図６〜図８を用いて説明する。
【０００４】
なお、これらの図面の内、断面図は固定カムと可動カムの関係を判り易くするため、径方向を拡大して表わしてる。
【０００５】
図７は従来の開閉装置の断面図、図８は同分解斜視図であり、同図において、１は中央に中空部が設けられた略円筒状の固定体で、この右側面外周には突出部２Ａ、及びこの突出部２Ａから左右へ延出する二つの傾倒部２Ｂと２Ｃから形成された固定カム２が設けられている。
【０００６】
そして、３は同じく略円筒状の可動体で、固定体１に対し開閉方向へ回転可能に配置されると共に、固定カム２との対向面である左側面外周には可動カム４が設けられ、この可動カム４の先端が、略円盤状のカバー５との間にやや撓んだ状態で装着されたコイル状のばね６に付勢されて、固定カム２の傾倒部２Ｂへ弾接している。
【０００７】
また、７は略円柱状の固定軸で、この固定軸７の左端部に固定体１が固着されると共に、右端部は可動体３の中空部やばね６を挿通して、カバー５に係止されている。
【０００８】
さらに、８は略円筒状の可動ケースで、この可動ケース８左端の通孔８Ａから固定体１の固定部１Ａが回転可能に突出すると共に、外周の溝部８Ｂには可動体３の突起３Ａが挿入され、可動体３が軸線方向へ移動可能に可動ケース８内に収納されている。
【０００９】
また、可動ケース８右端の開口部をカバー５が覆い、固定体１や可動体３、ばね６等が可動ケース８内に収納されて、開閉装置１０が構成されている。
【００１０】
そして、このように構成された開閉装置１０は、例えば、図６の携帯電話の斜視図に示すように、固定体１の固定部１Ａが、上面に複数のキーからなる操作部１２Ａやマイクロフォン等の音声入力部１２Ｂが形成された固定筐体１２へ、可動ケース８が、表面にＬＣＤ等の表示部１３Ａやスピーカ等の音声出力部１３Ｂが形成された可動筐体１３へ各々固着され、開閉装置１０によって固定筐体１２に対して可動筐体１３が開閉可能に軸支されて電子機器が構成される。
【００１１】
以上の構成において、図７に示すように、可動カム４の先端が固定カム２下側の傾倒部２Ｂへ弾接した状態では、可動体３がやや撓んだ状態のばね６によって下方向の閉方向へ付勢されているため、可動ケース８が固着された可動筐体１３は、固定筐体１２に対して閉じた状態で保持されている。
【００１２】
そして、この閉状態から、可動筐体１３を手で開くと、可動筐体１３に固着された可動ケース８を介して可動体３がばね６をさらに撓めながら上方向へ回転し、可動カム４先端が固定カム２の傾倒部２Ｂから突出部２Ａを超えて上方向へ摺動し、上側の傾倒部２Ｃへ弾接して、可動体３が上方向の開方向へ付勢されるため、可動筐体１３が開いた状態となる。
【００１３】
つまり、可動筐体１３に固着された可動ケース８を回転させることによって、可動体３を回転させ、ばね６が最も撓んで可動体３を付勢する、可動カム４先端が固定カム２の突出部２Ａを超える状態を境界として、傾倒部２Ｂまたは２Ｃのいずれかへ、ばね６に付勢された可動カム４を弾接させて、固定筐体１２に対する可動筐体１３の開閉操作が行われるように構成されているものであった。
【００１４】
なお、この出願の発明に関連する先行技術文献情報としては、例えば、特許文献１が知られている。
【００１５】
【特許文献１】
特開２００２−８９５４２号公報
【００１６】
【発明が解決しようとする課題】
しかしながら、上記従来の開閉装置においては、多少の衝撃等が加わった場合でも、可動筐体１３を開または閉の状態で確実に保持するために、例えば、ばね６の荷重を大きくすると、これに伴って、可動カム４先端が固定カム２の突出部２Ａを超える時の荷重等も大きくなり、全体の操作荷重が大きくなってしまうという課題があった。
【００１７】
本発明は、このような従来の課題を解決するものであり、全体の操作荷重を大きくすることなく、開または閉の状態等、所望の箇所のみを確実に保持することができる開閉装置を提供することを目的とする。
【００１８】
【課題を解決するための手段】
上記目的を達成するために本発明は、以下の構成を有するものである。
【００１９】
本発明の請求項１に記載の発明は、可動カム先端に傾斜面を形成すると共に、固定カムの所定箇所に傾斜面を形成して開閉装置を構成したものであり、例えば、開または閉時に可動カムが弾接する固定カムの所定箇所に傾斜面を設け、この傾斜面へ可動カム先端の傾斜面を弾接させることによって、平坦面同士が弾接する箇所に比べ、傾斜面によって分力が生じ摩擦も大きくなるため、ばねの荷重を大きくすることなく所定箇所のみの荷重を大きくでき、全体の開閉操作感触を損なうことなく、所望の箇所のみの保持を確実なものとした開閉装置を得ることができるという作用を有する。
【００２０】
請求項２に記載の発明は、請求項１記載の発明において、可動カムに角度の異なる複数の傾斜面を形成すると共に、固定カムの所定箇所に角度の異なる複数の傾斜面を形成したものであり、開または閉時、或いは開閉操作時等に、角度の異なる傾斜面で可動カムを固定カムへ弾接させることによって、生じる分力及び摩擦が変化し、様々な開閉操作感触が得られる開閉装置を実現することができるという作用を有する。
【００２１】
請求項３に記載の発明は、請求項１記載の開閉装置を、上面に操作部または音声入力部の少なくとも一方が形成された固定筐体と、表面に表示部または音声出力部の少なくとも一方が形成された可動筐体に装着して電子機器を構成したものであり、所望の箇所のみの保持を確実なものとした電子機器を実現できるという作用を有する。
【００２２】
【発明の実施の形態】
以下、本発明の実施の形態について、図１〜図６を用いて説明する。
【００２３】
なお、従来の技術の項で説明した構成と同一構成の部分には同一符号を付して、詳細な説明を簡略化する。
【００２４】
また、これらの図面の内、断面図は固定カムと可動カムの関係を判り易くするため、径方向を拡大して表わしている。
【００２５】
（実施の形態）
図１は本発明の一実施の形態による開閉装置の断面図、図２は同分解斜視図であり、同図において、２１は鋼や銅合金等の略中空円筒状の固定体で、この固定体２１の右側面外周には対称に配置された複数の突出部２２Ａ、及びこの突出部２２Ａから左右へ延出する二つの傾倒部２２Ｂと２２Ｃ、平坦部２２Ｄから形成された、複数の固定カム２２が設けられている。
【００２６】
そして、この固定カム２２の傾倒部２２Ｂと平坦部２２Ｄの、開または閉時に可動カム２４が弾接する内周側の所定箇所には、後述する傾斜面２２Ｅと２２Ｆが設けられている。
【００２７】
また、２３は同じく金属製で略中空円筒状の可動体で、固定体２１に対して開閉方向へ回転可能に配置されると共に、固定カム２２との対向面である左側面外周には、対称に配置された複数の可動カム２４が設けられ、この可動カム２４先端の外周側には傾斜面２４Ａが形成されている。
【００２８】
そして、この可動カム２４の先端が、略円盤状のカバー５との間にやや撓んだ状態で装着されたコイル状のばね６に付勢されて、固定カム２２の傾倒部２２Ｂへ弾接している。
【００２９】
また、７は略円柱状の固定軸で、この固定軸７の左端部に固定体２１が固着されると共に、右端部は可動体２３の中空部やばね６を挿通して、カバー５へ係止されている。
【００３０】
さらに、８は略中空円筒状の可動ケースで、この可動ケース８左端の通孔８Ａから固定体２１の固定部２１Ａが回転可能に突出すると共に、外周の溝部８Ｂには可動体２３の突起２３Ａが挿入され、可動体２３が軸線方向へ移動可能に可動ケース８内に収納されている。
【００３１】
また、可動ケース８右端の開口部をカバー５が覆い、固定体２１や可動体２３、ばね６等が可動ケース８内に収納されて、開閉装置３０が構成されている。
【００３２】
そして、このように構成された開閉装置３０は、例えば、図６の携帯電話の斜視図に示すように、固定体２１の固定部２１Ａが、上面に複数のキーからなる操作部１２Ａやマイクロフォン等の音声入力部１２Ｂが形成された固定筐体１２へ、可動ケース８が、表面にＬＣＤ等の表示部１３Ａやスピーカ等の音声出力部１３Ｂが形成された可動筐体１３へ各々固着され、開閉装置３０によって固定筐体１２に対して可動筐体１３が開閉可能に軸支されて電子機器が構成される。
【００３３】
次に、上記構成の開閉装置及びこれを用いた電子機器の開閉操作について、図１及び図３の外周方向視の要部断面図、図４のカム厚さ方向視の要部断面図を用いて説明する。
【００３４】
なお、固定カム２２や可動カム２４等は、実際には略中空円筒体の外周に立体的に設けられているが、各構成部品の動作がわかり易いように、図３及び図４では平面状に展開して表わしている。
【００３５】
先ず、図１及び図３（ａ）に示すように、可動カム２４先端が固定カム２２下側の傾倒部２２Ｂへ弾接した状態では、可動体２３がばね６によって下方向の閉方向へ付勢されているため、可動ケース８が固着された可動筐体１３は、固定筐体１２に対して閉じた状態で保持されている。
【００３６】
また、この閉状態では、図４（ａ）に示すように、可動カム２４先端の外周側の傾斜面２４Ａが、固定カム２２の傾倒部２２Ｂ内周側の傾斜面２２Ｅへ弾接しているため、この弾接面に可動カム２４を付勢するばね６の荷重の分力が生じ、傾斜面２４Ａと２２Ｅの摩擦も大きくなるため、例えば、可動筐体１３へ多少の衝撃等が加わった場合でも、閉状態を確実に保持できるように構成されている。
【００３７】
そして、この閉状態から、可動筐体１３を手で開くと、可動筐体１３に固着された可動ケース８を介して可動体２３が上方向へ回転し、可動カム２４の先端が固定カム２２の傾倒部２２Ｂ上を突出部２２Ａの方向へ弾接摺動する。
【００３８】
なお、図３（ｂ）及び図４（ｂ）に示すように、固定カム２２の突出部２２Ａ近傍や傾倒部２２Ｃには傾斜面２２Ｅが設けられておらず、可動カム２４内周側先端の平坦面が固定カム２２の平坦な面上を摺動するため、ばね６の撓みは大きくなるが、可動カム２４の固定カム２２への分力は生じず、摩擦も比較的小さなままで可動カム２４先端の弾接移動が行われる。
【００３９】
そして、可動カム２４先端が固定カム２２の突出部２２Ａを超えて上方向へ摺動し、傾倒部２２Ｃへ弾接すると、可動体２３がばね６によって上方向の開方向へ付勢されるため、可動筐体１３が開いた状態となる。
【００４０】
また、図３（ｃ）及び図４（ｃ）に示すように、さらに可動カム２４先端が傾倒部２２Ｃ上を摺動して、固定カム２２の平坦部２２Ｄへ弾接すると、この平坦部２２Ｄには、閉の傾倒部２２Ｂと同様に内周側に傾斜面２２Ｆが設けられているため、可動カム２４先端の傾斜面２４Ａが、この傾斜面２２Ｆに弾接して、ばね６の荷重に分力が生じ、傾斜面２４Ａと２２Ｆの摩擦も大きくなって、開状態の保持が確実に行われる。
【００４１】
なお、この可動カム２４先端が固定カム２２の平坦部２２Ｄへ弾接した状態は、可動筐体１３が通常９０度以上開き、表示部１３Ａが見える状態となっており、この状態で可動筐体１３を多少上下に動かし、可動カム２４先端の平坦部２２Ｄへの弾接位置を変えることで、表示部１３Ａを見易い角度に保持することができる。
【００４２】
つまり、可動筐体１３に固着された可動ケース８を回転させることによって、可動カム２４先端が固定カム２２の傾倒部２２Ｂや２２Ｃ上を弾接摺動し、固定筐体１２に対する可動筐体１３の開閉操作が行われるが、傾倒部２２Ｂと平坦部２２Ｄに弾接した閉及び開状態では、可動カム２４先端の傾斜面２４Ａが傾斜面２２Ｅ及び２２Ｆへ弾接しているため荷重が大きく、可動カム２４先端が固定カム２２の突出部２２Ａを超える前後では、荷重が比較的小さな状態で開閉操作が行われるように構成されている。
【００４３】
このように本実施の形態によれば、可動カム２４先端に傾斜面２４Ａを形成すると共に、開及び閉時に可動カム２４が弾接する固定カム２２の所定箇所に傾斜面２２Ｆや２２Ｅを設けることによって、ばね６の荷重を大きくすることなく所定箇所のみの荷重を大きくできるため、全体の開閉操作感触を損なうことなく、所望の箇所のみの保持を確実なものとした開閉装置及びこれを用いた電子機器を得ることができるものである。
【００４４】
なお、以上の説明では、開及び閉時に可動カム２４が弾接する固定カム２２の所定箇所に傾斜面２２Ｆや２２Ｅを設け、開及び閉状態での保持を確実なものとした構成について説明したが、これとは逆に、固定カム２２の突出部２２Ａにのみ傾斜面を形成し、開から閉、或いは閉から開状態に可動カム２４が弾接移動する時のみ荷重が大きくなるようにして、明確な節度感触のある開閉操作を行うようにする等、任意の箇所の開閉荷重を調整することも可能である。
【００４５】
さらに、図５の要部斜視図に示すように、可動カム２４先端に角度の異なる複数の傾斜面２４Ｂと２４Ｃを形成すると共に、固定カム２２の所定箇所にも角度の異なる複数の傾斜面を形成し、開または閉時、或いは開閉操作時等に、これら角度の異なる傾斜面で可動カム２４を固定カム２２へ弾接させることによって、生じる分力及び摩擦が変化し、様々な開閉操作感触が得られる開閉装置を実現することができる。
【００４６】
また、以上の説明では、手で可動筐体１３を開閉操作し、これに固着された可動ケース８を回転させる構成についてのみ説明したが、押釦や、可動カム２４の固定カム２２への弾接位置を反転させる反転カム等の部品を設け、手による開閉操作に加え、閉状態から押釦の押圧操作によって可動筐体１３を開く、所謂、ワンプッシュオープン構成のものにおいても、本発明の実施は可能である。
【００４７】
【発明の効果】
以上のように本発明によれば、開閉操作感触を損なうことなく、所望の箇所のみの保持を確実なものとした開閉装置及びこれを用いた電子機器を実現できるという有利な効果が得られる。
【図面の簡単な説明】
【図１】本発明の一実施の形態による開閉装置の断面図
【図２】同分解斜視図
【図３】同外周方向視の要部断面図
【図４】同カム厚さ方向視の要部断面図
【図５】同他の実施の形態による要部斜視図
【図６】同電子機器の斜視図
【図７】従来の開閉装置の断面図
【図８】同分解斜視図
【符号の説明】
５  カバー
６  ばね
７  固定軸
８  可動ケース
８Ａ  通孔
８Ｂ  溝部
１２  固定筐体
１２Ａ  操作部
１２Ｂ  音声入力部
１３  可動筐体
１３Ａ  表示部
１３Ｂ  音声出力部
２１  固定体
２１Ａ  固定部
２２  固定カム
２２Ａ  突出部
２２Ｂ，２２Ｃ  傾倒部
２２Ｄ  平坦部
２２Ｅ，２２Ｆ  傾斜面
２３  可動体
２３Ａ  突起
２４  可動カム
２４Ａ，２４Ｂ，２４Ｃ  傾斜面
３０  開閉装置
【図１】
2004245342.tif 000003
【図２】
2004245342.tif 000004
【図３】
2004245342.tif 000005
【図４】
2004245342.tif 000006
【図５】
2004245342.tif 000007
【図６】
2004245342.tif 000008
【図７】
2004245342.tif 000009
【図８】
2004245342.tif 000010